(57)【要約】【課題】従来のように、ネジによる締め付けによって、縫い針の交換を行う必要がなく、縫い針の交換の際に、ネジを緩める煩雑で時間のかかる作業が不要で、縫い針の交換が、正確で容易に行える縫製装置の縫い針取付け機構、および、縫い針取付け機構を備えた縫製装置を提供する。【解決手段】縫い針押さえ部材２６が、縫い針Ｎを上方に移動した際に、縫い針Ｎの平坦部Ｎ１との距離が離間して、縫い針Ｎを縫い針取付け部１２の縫い針取付け溝１４に装着することができるとともに、縫い針押さえ部材２６が、縫い針Ｎを下方に移動した際に、縫い針Ｎの平坦部Ｎ１との距離が接近して、縫い針Ｎを縫い針取付け部１２の縫い針取付け溝１４に固定できるように構成されている。【選択図】図４
2018143397.tif 000002
【特許請求の範囲】
【請求項１】
縫い針を取りつけるための縫い針取付け溝を備えた縫い針取付け部と、
前記縫い針取付け部の縫い針取付け溝に装着した縫い針に対して、縫い針取付け部方向に押圧して、前記縫い針を縫い針取付け部の縫い針取付け溝に取り付けるように構成した縫い針押さえ部材とを備え、
前記縫い針押さえ部材が、縫い針を上方に移動した際に、縫い針との距離が離間して、縫い針を縫い針取付け部の縫い針取付け溝に装着することができるとともに、
前記縫い針押さえ部材が、縫い針を下方に移動した際に、縫い針との距離が接近して、縫い針を縫い針取付け部の縫い針取付け溝に固定できるように構成されていることを特徴とする縫製装置の縫い針取付け機構。
【請求項２】
前記縫い針押さえ部材が、回動中心を中心に回動することによって、
前記縫い針押さえ部材が、縫い針を上方に移動した際に、縫い針との距離が離間して、縫い針を縫い針取付け部の縫い針取付け溝に装着することができるとともに、
前記縫い針押さえ部材が、縫い針を下方に移動した際に、縫い針との距離が接近して、縫い針を縫い針取付け部の縫い針取付け溝に固定できるように構成されていることを特徴とする請求項１に記載の縫製装置の縫い針取付け機構。
【請求項３】
前記縫い針押さえ部材の回動中心が、偏芯した偏芯軸であるか、
または、前記縫い針押さえ部材２６の押さえ部材本体の中心Ｏであり、かつ、前記縫い針押さえ部材の押さえ部材本体の略円板形状部分の外周面を一部偏芯させた偏芯テーパー面が形成されていることを特徴とする請求項２に記載の縫製装置の縫い針取付け機構。
【請求項４】
前記縫い針押さえ部材の回動中心が、縫い針押さえ部材を構成するてこ部材の支点軸であることを特徴とする請求項２に記載の縫製装置の縫い針取付け機構。
【請求項５】
前記てこ部材の作用点に、前記縫い針を押圧する押圧板部材を備えることを特徴とする請求項４に記載の縫製装置の縫い針取付け機構。
【請求項６】
前記縫い針押さえ部材が、縫い針取付け部の縫い針取付け溝の方向に、下方に漸次接近するテーパー傾斜面を有するとともに、
前記縫い針押さえ部材のテーパー傾斜面と、前記縫い針取付け部の縫い針取付け溝との間にくさび部材が配置され、
前記縫い針押さえ部材が、縫い針を上方に移動した際に、前記くさび部材と縫い針との距離が離間して、縫い針を縫い針取付け部の縫い針取付け溝に装着することができるとともに、
前記縫い針押さえ部材が、縫い針を下方に移動した際に、前記くさび部材と縫い針との距離が接近して、縫い針を縫い針取付け部の縫い針取付け溝に固定できるように構成されていることを特徴とする請求項１に記載の縫製装置の縫い針取付け機構。
【請求項７】
前記縫い針取付け部に、縫い針を上方に移動した際に、縫い針の上方位置を規制するストッパー部が形成されていることを特徴とする請求項１から６のいずれかに記載の縫製装置の縫い針取付け機構。
【請求項８】
前記縫い針が、縫い針の断面において、平坦部が形成されており、
前記縫い針押さえ部材が、縫い針を下方に移動し、縫い針との距離が接近して、縫い針を縫い針取付け部の縫い針取付け溝に固定する際に、縫い針の向きが正しい位置になるように回転されるように構成されていることを特徴とする請求項１から７のいずれかに記載の縫製装置の縫い針取付け機構。
【請求項９】
請求項１から８のいずれかに記載の縫製装置の縫い針取付け機構を備えたことを特徴とする縫製装置。
【発明の詳細な説明】
【技術分野】
【０００１】
本発明は、縫製装置の縫い針取付け機構、および、縫い針取付け機構を備えた縫製装置に関する。
【０００２】
より詳細には、本発明は、例えば、畳床、ロックウールなどを、単環縫い、本縫いなどによって、縫製する際に使用する縫製装置（ミシン）において、縫い針の交換が、正確で容易に行える縫製装置の縫い針取付け機構、および、縫い針取付け機構を備えた縫製装置に関する。
【０００３】
また、より詳細には、本発明は、２本以上の多数本の縫い針Ｎが一定間隔で並設され、これらの多数本の縫い針を同時に作動して、複数の縫製線に沿って同時に縫製する、いわゆる「多針ミシン」において、縫い針の交換が、正確で容易に行える縫製装置の縫い針取付け機構、および、縫い針取付け機構を備えた縫製装置に関する。
【背景技術】
【０００４】
従来より、縫製装置の縫い針取付け機構としては、例えば、特許文献１（特開平１１−１９２３９２号公報）、特許文献２（実用新案登録第３１８１２９８号公報）などに開示されるように、ネジによる締め付けによって、縫い針の交換を行うように構成されているのが一般的である。
【０００５】
また、特許文献３（特開２００５−１７６９９１号公報）のように、縫い針を固定用の溝部に装着して、縫い針を固定するための板状の押さえ部材を、ネジによって締結して、ネジによる締め付けによって、縫い針の交換を行うように構成されている縫製装置の縫い針取付け機構も提案されている。
【先行技術文献】
【特許文献】
【０００６】
【特許文献１】特開平１１−１９２３９２号公報
【特許文献２】実用新案登録第３１８１２９８号公報
【特許文献３】特開２００５−１７６９９１号公報
【発明の概要】
【発明が解決しようとする課題】
【０００７】
ところで、特許文献１〜特許文献３のような従来の縫製装置の縫い針取付け機構は、ネジによる締め付けによって、縫い針の交換を行うので、縫い針の交換の際に、例えば、ネジ回しなどの工具でネジを緩める煩雑で時間のかかる作業が必要となってしまう。
【０００８】
また、特許文献３のように、押さえ部材を、ネジによって締結する構成では、押さえ部材、ネジの取り外し、装着作業に時間と手間がかかることにもなる。
【０００９】
特に、縫製装置による縫製の対象が、例えば、畳床、ロックウールなど、比較的厚さが厚い場合には、縫い針の摩耗損傷などによる消耗が激しく、縫い針が曲り、針板などに針先が接触して針折れにつながることがある。
また、例えば、ロックウールを用いた場合に、厳しい条件下、すなわち、縫着糸にワイヤーを使用する場合において、針穴などの摩耗が激しい条件下で使用する場合においては、２日に一度の比較的短い時間で、縫い針を交換しなければならず、従来のネジによる締め付けによる縫い針取付け機構では、交換作業に手間と時間を要することになる。
【００１０】
また、上記のような多針ミシンでは、通常では縫い針が折れたり、曲がったり、針先が痛むことで交換し、１度に全ての針を交換することはあまりないので、このような縫い針の交換作業が多くなるが、従来のネジによる締め付けによる縫い針取付け機構では、交換作業に手間と時間を要することになる。
【００１１】
さらに、従来のネジによる締め付けによる縫い針取付け機構では、作業者によってはネジの締め付け不良が発生し、縫い針が抜け落ちるおそれがあり、縫製不良、縫い針の破損などが生じるおそれがある。
【００１２】
また、縫い針を縫製装置に取り付ける際には、縫い針の向きがあり、作業者によっては正確な位置に縫い針を取り付けることができず、バラツキが発生してしまい、縫い目が欠けてしまう、いわゆる「目とび」などの縫製不良が発生するおそれがある。
【００１３】
また、縫い針を縫製装置に取り付ける際には、縫製装置の機種によっては、縫い針取付け機構の下方に設けられた、縫い針をガイドするための針ガイド板の針ガイド孔に縫い針の先端を挿入する必要があるが、従来のネジによる締め付けによる縫い針取付け機構では、交換作業の際に、針ガイド板が邪魔になって、縫い針の交換作業に熟練と手間がかかることになる。
【００１４】
本発明は、このような現状に鑑み、従来のように、ネジによる締め付けによって、縫い針の交換を行う必要がなく、縫い針の交換の際に、ネジを緩める煩雑で時間のかかる作業が不要で、縫い針の交換が、正確で容易に行える縫製装置の縫い針取付け機構、および、縫い針取付け機構を備えた縫製装置を提供することを目的とする。
【００１５】
また、本発明は、従来のネジによる締め付けによる縫い針取付け機構のように、ネジの締め付け不良が発生せず、縫い針が抜け落ちるおそれがなく、縫製不良、縫い針の破損などが生じるおそれがない縫製装置の縫い針取付け機構、および、縫い針取付け機構を備えた縫製装置を提供することを目的とする。
【００１６】
また、本発明は、縫い針取付け機構の下方に設けられた、縫い針をガイドするための針ガイド板の針ガイド孔に縫い針の先端を挿入する必要がある場合でも、交換作業の際に、針ガイド板が邪魔にならず、縫い針の交換作業に熟練と手間を要することなく、縫い針の交換が、正確で容易に行える縫製装置の縫い針取付け機構、および、縫い針取付け機構を備えた縫製装置を提供することを目的とする。
【００１７】
さらに、本発明は、縫い針を縫製装置に取り付ける際に、縫い針の向きを正確な位置に縫い針を取り付けることができ、バラツキが発生せず、縫い目が欠けてしまう、いわゆる「目とび」などの縫製不良が発生するおそれがない縫製装置の縫い針取付け機構、および、縫い針取付け機構を備えた縫製装置を提供することを目的とする。
【課題を解決するための手段】
【００１８】
本発明は、前述したような従来技術における課題及び目的を達成するために発明されたものであって、本発明の縫製装置の縫い針取付け機構は、
縫い針を取りつけるための縫い針取付け溝を備えた縫い針取付け部と、
前記縫い針取付け部の縫い針取付け溝に装着した縫い針に対して、縫い針取付け部方向に押圧して、前記縫い針を縫い針取付け部の縫い針取付け溝に取り付けるように構成した縫い針押さえ部材とを備え、
前記縫い針押さえ部材が、縫い針を上方に移動した際に、縫い針との距離が離間して、縫い針を縫い針取付け部の縫い針取付け溝に装着することができるとともに、
前記縫い針押さえ部材が、縫い針を下方に移動した際に、縫い針との距離が接近して、縫い針を縫い針取付け部の縫い針取付け溝に固定できるように構成されていることを特徴とする。
【００１９】
このように構成することによって、縫い針押さえ部材が、縫い針を上方に移動した際に、縫い針との距離が離間して、縫い針を縫い針取付け部の縫い針取付け溝に装着することができる。
【００２０】
また、縫い針押さえ部材が、縫い針を下方に移動した際に、縫い針との距離が接近して、縫い針を縫い針取付け部の縫い針取付け溝に固定できる。
【００２１】
従って、このように縫い針の上下動によって、縫い針を縫い針取付け部の縫い針取付け溝に脱着自在に固定できるので、従来のように、ネジによる締め付けによって、縫い針の交換を行う必要がなく、縫い針の交換の際に、ネジを緩める煩雑で時間のかかる作業が不要で、縫い針の交換が、正確で容易に行える。
【００２２】
また、縫い針の上下動によって、縫い針を縫い針取付け部の縫い針取付け溝に脱着自在に固定できるので、従来のネジによる締め付けによる縫い針取付け機構のように、ネジの締め付け不良が発生せず、縫い針が抜け落ちるおそれがなく、縫製不良、縫い針の破損などが生じるおそれがない。
【００２３】
また、縫い針の上下動によって、縫い針を縫い針取付け部の縫い針取付け溝に脱着自在に固定できるので、縫い針取付け機構の下方に設けられた、縫い針をガイドするための針ガイド板の針ガイド孔に縫い針の先端を挿入する必要がある場合でも、交換作業の際に、針ガイド板が邪魔にならず、縫い針の交換作業に熟練と手間を要することなく、縫い針の交換が、正確で容易に行える。
【００２４】
また、本発明の縫製装置の縫い針取付け機構は、
前記縫い針押さえ部材が、回動中心を中心に回動することによって、
前記縫い針押さえ部材が、縫い針を上方に移動した際に、縫い針との距離が離間して、縫い針を縫い針取付け部の縫い針取付け溝に装着することができるとともに、
前記縫い針押さえ部材が、縫い針を下方に移動した際に、縫い針との距離が接近して、縫い針を縫い針取付け部の縫い針取付け溝に固定できるように構成されていることを特徴とする。
【００２５】
このように構成することによって、縫い針押さえ部材が、回動中心を中心に回動することによって、縫い針押さえ部材が、縫い針を上方に移動した際に、縫い針との距離が離間して、縫い針を縫い針取付け部の縫い針取付け溝に装着することができる。
【００２６】
また、縫い針押さえ部材が、回動中心を中心に回動することによって、縫い針押さえ部材が、縫い針を下方に移動した際に、縫い針との距離が接近して、縫い針を縫い針取付け部の縫い針取付け溝に固定できる。
【００２７】
従って、縫い針の上下動によって、縫い針押さえ部材が、回動中心を中心に回動して、縫い針を縫い針取付け部の縫い針取付け溝に脱着自在に固定できる。
【００２８】
これにより、従来のように、ネジによる締め付けによって、縫い針の交換を行う必要がなく、縫い針の交換の際に、ネジを緩める煩雑で時間のかかる作業が不要で、縫い針の交換が、正確で容易に行える。
【００２９】
また、本発明の縫製装置の縫い針取付け機構は、前記縫い針押さえ部材の回動中心が、偏芯した偏芯軸であることを特徴とする。
【００３０】
このように構成することによって、縫い針押さえ部材の回動中心が、偏芯した偏芯軸であるので、縫い針の上下動によって、縫い針押さえ部材が、偏芯した偏芯軸を中心に回動して、縫い針を縫い針取付け部の縫い針取付け溝に脱着自在に固定できる。
【００３１】
従って、従来のように、ネジによる締め付けによって、縫い針の交換を行う必要がなく、縫い針の交換の際に、ネジを緩める煩雑で時間のかかる作業が不要で、縫い針の交換が、正確で容易に行える。
【００３２】
また、本発明の縫製装置の縫い針取付け機構は、前記縫い針押さえ部材の回動中心が、縫い針押さえ部材を構成するてこ部材の支点軸であることを特徴とする。
【００３３】
このように構成することによって、縫い針押さえ部材の回動中心が、縫い針押さえ部材を構成するてこ部材の支点軸であるので、縫い針の上下動によって、縫い針押さえ部材が、てこ部材の支点軸を中心に回動して、縫い針を縫い針取付け部の縫い針取付け溝に脱着自在に固定できる。
【００３４】
従って、従来のように、ネジによる締め付けによって、縫い針の交換を行う必要がなく、縫い針の交換の際に、ネジを緩める煩雑で時間のかかる作業が不要で、縫い針の交換が、正確で容易に行える。
【００３５】
また、本発明の縫製装置の縫い針取付け機構は、前記てこ部材の作用点に、前記縫い針を押圧する押圧板部材を備えることを特徴とする。
【００３６】
このように構成することによって、縫い針押さえ部材の回動中心が、縫い針押さえ部材を構成するてこ部材の支点軸であり、しかも、てこ部材の作用点に、縫い針を押圧する押圧板部材を備える。
【００３７】
その結果、縫い針の上下動によって、縫い針押さえ部材が、てこ部材の作用点の押圧板部材によって、てこ部材の支点軸を中心に回動するとともに、てこ部材の作用点の押圧板部材により、縫い針が押圧されることになり、縫い針を縫い針取付け部の縫い針取付け溝に脱着自在に固定できる。
【００３８】
従って、従来のように、ネジによる締め付けによって、縫い針の交換を行う必要がなく、縫い針の交換の際に、ネジを緩める煩雑で時間のかかる作業が不要で、縫い針の交換が、正確で容易に行える。
【００３９】
また、本発明の縫製装置の縫い針取付け機構は、
前記縫い針押さえ部材が、縫い針取付け部の縫い針取付け溝の方向に、下方に漸次接近するテーパー傾斜面を有するとともに、
前記縫い針押さえ部材のテーパー傾斜面と、前記縫い針取付け部の縫い針取付け溝との間にくさび部材が配置され、
前記縫い針押さえ部材が、縫い針を上方に移動した際に、前記くさび部材と縫い針との距離が離間して、縫い針を縫い針取付け部の縫い針取付け溝に装着することができるとともに、
前記縫い針押さえ部材が、縫い針を下方に移動した際に、前記くさび部材と縫い針との距離が接近して、縫い針を縫い針取付け部の縫い針取付け溝に固定できるように構成されていることを特徴とする。
【００４０】
このように構成することによって、縫い針押さえ部材が、縫い針取付け部の縫い針取付け溝の方向に、下方に漸次接近するテーパー傾斜面を有するとともに、縫い針押さえ部材のテーパー傾斜面と、前記縫い針取付け部の縫い針取付け溝との間にくさび部材が配置されている。
【００４１】
これにより、縫い針押さえ部材が、縫い針を上方に移動した際に、くさび部材と縫い針との距離が離間して、縫い針を縫い針取付け部の縫い針取付け溝に装着することができる。
【００４２】
また、縫い針押さえ部材が、縫い針を下方に移動した際に、前記くさび部材と縫い針との距離が接近して、縫い針を縫い針取付け部の縫い針取付け溝に固定できる。
【００４３】
従って、このように縫い針の上下動によって、くさび部材が、縫い針押さえ部材のテーパー傾斜面に沿って上下に移動し、くさび部材と縫い針との距離の接近、離反によって、縫い針を縫い針取付け部の縫い針取付け溝に脱着自在に固定できる。
【００４４】
これにより、従来のように、ネジによる締め付けによって、縫い針の交換を行う必要がなく、縫い針の交換の際に、ネジを緩める煩雑で時間のかかる作業が不要で、縫い針の交換が、正確で容易に行える。
【００４５】
また、本発明の縫製装置の縫い針取付け機構は、前記縫い針取付け部に、縫い針を上方に移動した際に、縫い針の上方位置を規制するストッパー部が形成されていることを特徴とする。
【００４６】
このように構成することによって、縫い針取付け部に、縫い針を上方に移動した際に、縫い針の上方位置を規制するストッパー部が形成されているので、縫い針を縫い針取付け部の縫い針取付け溝の正確な上下の位置に装着することができ、縫製不良、縫い針の破損などが生じるおそれがない。
【００４７】
また、本発明の縫製装置の縫い針取付け機構は、
前記縫い針が、縫い針の断面において、平坦部が形成されており、
前記縫い針押さえ部材が、縫い針を下方に移動し、縫い針との距離が接近して、縫い針を縫い針取付け部の縫い針取付け溝に固定する際に、縫い針の向きが正しい位置になるように回転されるように構成されていることを特徴とする。
【００４８】
このように構成することによって、縫い針押さえ部材が、縫い針を下方に移動し、縫い針との距離が接近して、縫い針を縫い針取付け部の縫い針取付け溝に固定する際に、縫い針の向きが正しい位置になるように回転される。
【００４９】
従って、縫い針を縫製装置に取り付ける際に、縫い針の向きを正確な位置に縫い針を取り付けることができ、バラツキが発生せず、縫い目が欠けてしまう、いわゆる「目とび」などの縫製不良が発生するおそれがない。
【００５０】
また、本発明は、前述のいずれかに記載の縫製装置の縫い針取付け機構を備えたことを特徴とする縫製装置である。
【発明の効果】
【００５１】
本発明によれば、縫い針押さえ部材が、縫い針を上方に移動した際に、縫い針との距離が離間して、縫い針を縫い針取付け部の縫い針取付け溝に装着することができる。
【００５２】
また、縫い針押さえ部材が、縫い針を下方に移動した際に、縫い針との距離が接近して、縫い針を縫い針取付け部の縫い針取付け溝に固定できる。
【００５３】
従って、このように縫い針の上下動によって、縫い針を縫い針取付け部の縫い針取付け溝に脱着自在に固定できるので、従来のように、ネジによる締め付けによって、縫い針の交換を行う必要がなく、縫い針の交換の際に、ネジを緩める煩雑で時間のかかる作業が不要で、縫い針の交換が、正確で容易に行える。
【００５４】
また、縫い針の上下動によって、縫い針を縫い針取付け部の縫い針取付け溝に脱着自在に固定できるので、従来のネジによる締め付けによる縫い針取付け機構のように、ネジの締め付け不良が発生せず、縫い針が抜け落ちるおそれがなく、縫製不良、縫い針の破損などが生じるおそれがない。
【００５５】
また、縫い針の上下動によって、縫い針を縫い針取付け部の縫い針取付け溝に脱着自在に固定できるので、縫い針取付け機構の下方に設けられた、縫い針をガイドするための針ガイド板の針ガイド孔に縫い針の先端を挿入する必要がある場合でも、交換作業の際に、針ガイド板が邪魔にならず、縫い針の交換作業に熟練と手間を要することなく、縫い針の交換が、正確で容易に行える。
【図面の簡単な説明】
【００５６】
【図１】図１は、本発明の縫製装置の縫い針取付け機構を備えた縫製装置であって、縫い針を取り付けた状態を示す縫製装置の概略を説明する正面図である。
【図２】図２は、図１のＡ方向の側面図である。
【図３】図３は、図２の上面図である。
【図４】図４は、図１の部分拡大図である。
【図５】図５は、図２の部分拡大図である。
【図６】図６は、図３の部分拡大図である。
【図７】図７は、本発明の縫い針取付け機構１０において、縫い針Ｎを装着していない状態を示す部分拡大図である。
【図８】図８は、縫い針を交換する状態を示す縫製装置の概略を説明する正面図である。
【図９】図９は、図８の部分拡大図である。
【図１０】図１０は、縫い針を交換する方法を説明する部分拡大図である。
【図１１】図１１は、縫い針を交換する方法を説明する部分拡大図である。
【図１２】図１２は、縫い針を交換する方法を説明する部分拡大断面図である。
【図１３】図１３は、縫い針を交換する方法を説明する部分拡大図である。
【図１４】図１４は、縫い針を交換する方法を説明する部分拡大図である。
【図１５】図１５は、本発明の別の実施例の縫製装置１の縫い針取付け機構１０を示す図４と同様な部分拡大図である。
【図１６】図１６は、本発明の別の実施例の縫製装置１の縫い針取付け機構１０を示す図４と同様な部分拡大図である。
【図１７】図１７は、本発明の別の実施例の縫製装置１の縫い針取付け機構１０を示す図４と同様な部分拡大図である。
【図１８】図１８は、本発明の別の実施例の縫製装置１の縫い針取付け機構１０を示す図４と同様な部分拡大図である。
【図１９】図１９は、本発明の別の実施例の縫製装置１の縫い針取付け機構１０を示す図４の部分拡大図である。
【発明を実施するための形態】
【００５７】
以下、本発明の実施の形態（実施例）を図面に基づいてより詳細に説明する。
（実施例１）
【００５８】
図１は、本発明の縫製装置の縫い針取付け機構を備えた縫製装置であって、縫い針を取り付けた状態を示す縫製装置の概略を説明する正面図、図２は、図１のＡ方向の側面図、図３は、図２の上面図、図４は、図１の部分拡大図、図５は、図２の部分拡大図、図６は、図３の部分拡大図、図７は、本発明の縫い針取付け機構１０において、縫い針Ｎを装着していない状態を示す部分拡大図、図８は、縫い針を交換する状態を示す縫製装置の概略を説明する正面図、図９は、図８の部分拡大図、図１０〜図１４は、縫い針を交換する方法を説明する部分拡大図である。
【００５９】
図１〜図６において、符号１は、全体で本発明の縫製装置を示している。なお、説明の便宜上、縫製装置（ミシン）の公知の駆動機構などは省略して図示している。
【００６０】
図１〜図６に示したように、本発明の縫製装置１は、縫い針取付け機構１０を備えており、縫い針取付け機構１０は、縫製装置１の基台フレーム２の上方に配置されている。
【００６１】
また、基台フレーム２と、縫い針取付け機構１０との間には、縫い針Ｎをガイドするための針ガイド板４が設けられており、この針ガイド板４には、針ガイド孔６が形成されている。
【００６２】
また、縫い針取付け機構１０は、縫製装置１の図示しない、縫製装置本体部に設けられた縫い針取付け部１２を備えている。
【００６３】
図４〜図６の拡大図に示したように、縫い針取付け部１２は、縫い針Ｎを取り付けるための断面略Ｖ字形状の縫い針取付け溝１４が形成されており、この縫い針取付け溝１４の上端部が、後述するように、縫い針Ｎを上方に移動した際に、縫い針Ｎの上方位置を規制するストッパー部１６を構成している。
【００６４】
また、図４〜図６の拡大図に示したように、縫い針取付け部１２には、略平板形状のフランジ１８が、縫い針取付け部１２から離反する方向に立設されている。
【００６５】
すなわち、縫い針取付け部１２には、フランジ取付け用のネジ穴２０が形成されており、フランジ１８が、ネジ穴２０を介して、取付けボルト２２を締め付けることによって、縫い針取付け部１２に固定されている。
【００６６】
そして、フランジ１８の一方の側部には、軸部材２４が装着されており、縫い針押さえ部材２６が、軸部材２４からなる偏芯軸Ｐを中心に回動できるように軸支されている。
図４〜図６の拡大図に示したように、縫い針押さえ部材２６は、略円板形状の押さえ部材本体２８と、この押さえ部材本体２８から外方に延設された操作レバー３０とから構成されている。
【００６７】
図４の拡大図からも明らかなように、軸部材２４からなる偏芯軸Ｐは、縫い針押さえ部材２６の押さえ部材本体２８の中心から偏芯した位置に位置するように構成されている。
【００６８】
なお、この実施例に場合には、軸部材２４からなる偏芯軸Ｐは、縫い針押さえ部材２６の押さえ部材本体２８の中心から偏芯した位置に位置するように構成して、後述する偏芯軸Ｐを中心とした回動による固定力と同様な固定力を付与させるようにしている。
【００６９】
しかしながら、図１９の拡大図に示したように、縫い針押さえ部材２６の押さえ部材本体２８の中心Ｏを中心とした円弧に対して、押さえ部材本体２８の略円板形状部分の外周面を、一部偏芯させた形状の円弧となる偏芯テーパー面２８ａを形成することも可能である。
【００７０】
この場合には、図１９に示したように、縫い針押さえ部材２６の押さえ部材本体２８の略円板形状部分の外周面を、一部偏芯させた偏芯テーパー面２８ａを形成することで、軸部材２４を回動中心として回動することにより、後述する偏芯軸Ｐを中心とした回動による固定力と同様な固定力を付与させることができ、縫い針Ｎを押さえる（固定力を付与する）ことができる。
【００７１】
また、図４、図５の拡大図に示したように、フランジ１８には、縫い針押さえ部材２６の方向に立設されたバネ係止突設部３２が形成され、このバネ係止突設部３２に対応して、縫い針押さえ部材２６の押さえ部材本体２８にも、バネ係止突設部３４が立設されている。
【００７２】
そして、これらのフランジ１８のバネ係止突設部３２と、縫い針押さえ部材２６のバネ係止突設部３４との間に、引っ張り状態のバネ部材３６が装着されている。
【００７３】
これにより、図１、図４の矢印Ｂで示した方向に、バネ部材３６の付勢力によって、縫い針押さえ部材２６が、軸部材２４からなる偏芯軸Ｐを中心に回動する方向に付勢されるようになっている。
【００７４】
なお、図７の一点鎖線に示したように、本発明の縫い針取付け機構１０において、縫い針Ｎを装着していない状態では、バネ部材３６の付勢力によって、縫い針押さえ部材２６が、軸部材２４からなる偏芯軸Ｐを中心に回動して、操作レバー３０の内側３０ａが、縫い針取付け部１２の表面１２ａに当接して、ストッパーとなるように構成されている。
【００７５】
このように構成される本発明の縫製装置１の縫い針取付け機構１０において、縫い針Ｎを交換する方法について、図１、図４、図８〜図１４に基づいて説明する。
【００７６】
先ず、図１、図４に示したように、縫い針取付け機構１０の縫い針取付け部１２の縫い針取付け溝１４に、縫い針Ｎが装着、固定された状態を示している。
【００７７】
この状態では、図１、図４の矢印Ｂで示した方向に、縫い針押さえ部材２６が、バネ部材３６の付勢力によって、軸部材２４からなる偏芯軸Ｐを中心に回動する方向に付勢され、縫い針押さえ部材２６が、軸部材２４からなる偏芯軸Ｐを中心に回動される。
【００７８】
これにより、縫い針押さえ部材２６の押さえ部材本体２８と、縫い針Ｎの平坦部Ｎ１との距離が接近（当接）しており、縫い針Ｎが縫い針取付け部１２の縫い針取付け溝１４に固定された状態となっている。
【００７９】
また、この状態では、縫い針押さえ部材２６が、縫い針Ｎを下方に移動した際に、縫い針Ｎの平坦部Ｎ１との距離がさらに接近して、縫い針Ｎを縫い針取付け部１２の縫い針取付け溝１４にさらに堅固に固定されることになり、縫い針Ｎの抜け落ちが防止されるように構成されている。
【００８０】
そして、この状態から、例えば、縫い針Ｎが折れたり、曲がったり、針先が痛んで、縫い針Ｎを交換する場合には、以下のようにして交換することができる。
【００８１】
図８、図９の矢印Ｃに示したように、バネ部材３６の付勢力に抗して、押さえ部材本体２８の操作レバー３０を指などで操作して、操作レバー３０を縫い針取付け部１２から離反する方向に回動させる。
【００８２】
これにより、縫い針押さえ部材２６が、軸部材２４からなる偏芯軸Ｐを中心に回動して、縫い針押さえ部材２６が、縫い針を上方に移動した際に、縫い針押さえ部材２６の押さえ部材本体２８と、縫い針Ｎの平坦部Ｎ１との距離が離間することになる。
【００８３】
その結果、縫い針Ｎを、上下方向から、縫い針取付け部１２の縫い針取付け溝１４から取り外すことができるようになる。
【００８４】
なお、図８、図９では、縫い針Ｎを、図８、図９の矢印で示したように、上方向に移動して、縫い針取付け部１２の縫い針取付け溝１４から取り外す場合を示している。また、図１０では、図１０の矢印で示したように、縫い針Ｎを、下方向に移動して、縫い針取付け部１２の縫い針取付け溝１４から取り外す場合を示している。
【００８５】
次に、押さえ部材本体２８の操作レバー３０を指などで操作して、操作レバー３０を縫い針取付け部１２から離反する方向に回動した状態のまま、すなわち、縫い針押さえ部材２６の押さえ部材本体２８と、縫い針Ｎの平坦部Ｎ１との距離が離間した状態のまま、図８〜図１０において、それぞれ逆向きの矢印で示したように、縫い針取付け部１２の縫い針取付け溝１４から取り外す場合と逆方向から、それぞれ縫い針Ｎを、縫い針取付け部１２の縫い針取付け溝１４に装着する。
【００８６】
この状態では、前述したように、この縫い針取付け溝１４の上端部が、縫い針Ｎを上方に移動した際に、縫い針Ｎの上方位置を規制するストッパー部１６を構成している。
【００８７】
これにより、縫い針取付け部１２に、縫い針Ｎを上方に移動した際に、縫い針Ｎの上方位置を規制するストッパー部１６が形成されているので、縫い針Ｎを縫い針取付け部１２の縫い針取付け溝１４の正確な上下の位置に装着することができ、縫製不良、縫い針の破損などが生じるおそれがないように構成されている。
【００８８】
そして、この状態で、押さえ部材本体２８の操作レバー３０から指などを離した状態とすれば、図１１の矢印Ｄで示したように、バネ部材３６の付勢力によって、縫い針押さえ部材２６が、軸部材２４からなる偏芯軸Ｐを中心に回動する方向に付勢されるようになっている。
【００８９】
これにより、、縫い針押さえ部材２６の押さえ部材本体２８と、縫い針Ｎの平坦部Ｎ１との距離が接近（当接）しており、縫い針Ｎが縫い針取付け部１２の縫い針取付け溝１４に固定された状態となっている。
【００９０】
また、この状態では、縫い針押さえ部材２６が、縫い針Ｎを下方に移動した際に、縫い針Ｎの平坦部Ｎ１との距離がさらに接近して、縫い針Ｎを縫い針取付け部１２の縫い針取付け溝１４にさらに堅固に固定されることになり、縫い針Ｎの抜け落ちが防止されるように構成されている。
【００９１】
この場合、図１２の部分拡大断面図に示したように、縫い針Ｎが、縫い針の断面において、平坦部Ｎ１が形成されており、縫い針押さえ部材２６が、縫い針Ｎを下方に移動し、図１２の矢印Ｆで示したように、縫い針押さえ部材２６と縫い針Ｎの平坦部Ｎ１との距離が接近して、縫い針Ｎを縫い針取付け部１２の縫い針取付け溝１４に固定する際に、図１２の矢印Ｇで示したように、縫い針Ｎの向きが正しい位置になるように回転されるように構成されている。
【００９２】
従って、縫い針Ｎを縫製装置１（縫い針取付け部１２の縫い針取付け溝１４）に取り付ける際に、縫い針Ｎの向きを正確な位置に縫い針Ｎを取り付けることができ、バラツキが発生せず、縫い目が欠けてしまう、いわゆる「目とび」などの縫製不良が発生するおそれがない。
【００９３】
また、この場合、図８〜図１１では、押さえ部材本体２８の操作レバー３０から指などで操作して、縫い針Ｎを縫い針取付け部１２の縫い針取付け溝１４に装着するようにしたが、押さえ部材本体２８の操作レバー３０を用いずに、縫い針Ｎを下方向から移動、すなわち、縫い針Ｎを縫い針取付け部１２の縫い針取付け溝１４に装着することもできる。
【００９４】
すなわち、図７に示したように、本発明の縫い針取付け機構１０において、縫い針Ｎを装着していない状態では、バネ部材３６の付勢力によって、縫い針押さえ部材２６が、軸部材２４からなる偏芯軸Ｐを中心に回動して、操作レバー３０の内側３０ａが、縫い針取付け部１２の表面１２ａに当接した状態となっている。
【００９５】
この状態から、図１３に示したように、下方から縫い針Ｎの基端部を、縫い針取付け部１２の縫い針取付け溝１４に挿入する。
【００９６】
そして、この状態で、縫い針Ｎを上方に移動すると、図１３の矢印Ｈに示したように、バネ部材３６の付勢力に抗して、縫い針押さえ部材２６が、軸部材２４からなる偏芯軸Ｐを中心に回動して、縫い針押さえ部材２６の押さえ部材本体２８と、縫い針Ｎの平坦部Ｎ１との距離が離間して、縫い針Ｎを縫い針取付け部１２の縫い針取付け溝１４に装着することができる。
【００９７】
そして、縫い針Ｎの上方位置を規制するストッパー部１６に当接するまで、縫い針Ｎを上方に移動して、縫い針Ｎを縫い針取付け部１２の縫い針取付け溝１４の正確な上下の位置に装着する。
【００９８】
この状態で、縫い針Ｎから手を離せば、図１４の矢印Ｉで示したように、バネ部材３６の付勢力によって、縫い針押さえ部材２６が、軸部材２４からなる偏芯軸Ｐを中心に回動する方向に付勢されるようになっている。
【００９９】
これにより、縫い針押さえ部材２６の押さえ部材本体２８と、縫い針Ｎの平坦部Ｎ１との距離が接近（当接）しており、縫い針Ｎが縫い針取付け部１２の縫い針取付け溝１４に固定された状態となっている。
【０１００】
また、この状態では、縫い針押さえ部材２６が、縫い針Ｎを下方に移動した際に、縫い針Ｎの平坦部Ｎ１との距離がさらに接近して、縫い針Ｎを縫い針取付け部１２の縫い針取付け溝１４にさらに堅固に固定されることになり、縫い針Ｎの抜け落ちが防止されるように構成されている。
【０１０１】
なお、この場合、図８〜図１４では、縫い針Ｎを、上下方向から、縫い針取付け部１２の縫い針取付け溝１４に装着、取り外す場合を示したが、縫い針Ｎを縫い針取付け部１２の縫い針取付け溝１４に側方から、装着、取り外すことも可能である。
【０１０２】
すなわち、押さえ部材本体２８の操作レバー３０を指などで操作して、操作レバー３０を縫い針取付け部１２から離反する方向に回動した状態のまま、すなわち、縫い針押さえ部材２６の押さえ部材本体２８と、縫い針Ｎの平坦部Ｎ１との距離が離間した状態のまま、図２、図５の矢印Ｅで示したように、縫い針Ｎを縫い針取付け部１２の縫い針取付け溝１４に側方から、装着、取り外すことも可能である。
【０１０３】
このように構成することによって、縫い針押さえ部材２６が、縫い針Ｎを上方に移動した際に、縫い針Ｎの平坦部Ｎ１との距離が離間して、縫い針Ｎを縫い針取付け部１２の縫い針取付け溝１４に装着することができる。
【０１０４】
また、縫い針押さえ部材２６が、縫い針Ｎを下方に移動した際に、縫い針Ｎの平坦部Ｎ１との距離が接近して、縫い針Ｎを縫い針取付け部１２の縫い針取付け溝１４に固定できる。
【０１０５】
従って、このように縫い針Ｎの上下動によって、縫い針Ｎを縫い針取付け部１２の縫い針取付け溝１４に脱着自在に固定できるので、従来のように、ネジによる締め付けによって、縫い針Ｎの交換を行う必要がなく、縫い針Ｎの交換の際に、ネジを緩めるという煩雑で時間のかかる作業が不要で、縫い針Ｎの交換が、正確で容易に行える。
【０１０６】
また、縫い針Ｎの上下動によって、縫い針Ｎを縫い針取付け部１２の縫い針取付け溝１４に脱着自在に固定できるので、従来のネジによる締め付けによる縫い針取付け機構のように、ネジの締め付け不良が発生せず、縫い針Ｎが抜け落ちるおそれがなく、縫製不良、縫い針Ｎの破損などが生じるおそれがない。
【０１０７】
また、縫い針Ｎの上下動によって、縫い針Ｎを縫い針取付け部１２の縫い針取付け溝１４に脱着自在に固定できるので、縫い針取付け機構の下方に設けられた、縫い針Ｎをガイドするための針ガイド板４の針ガイド孔６に縫い針Ｎの先端を挿入する必要がある場合でも、交換作業の際に、針ガイド板４が邪魔にならず、縫い針Ｎの交換作業に熟練と手間を要することなく、縫い針Ｎの交換が、正確で容易に行える。
【０１０８】
また、縫い針押さえ部材２６が、回動中心（軸部材２４からなる偏芯軸Ｐ）を中心に回動することによって、縫い針押さえ部材２６が、縫い針Ｎを上方に移動した際に、縫い針Ｎの平坦部Ｎ１との距離が離間して、縫い針Ｎを縫い針取付け部１２の縫い針取付け溝１４に装着することができる。
【０１０９】
また、縫い針押さえ部材２６が、回動中心（軸部材２４からなる偏芯軸Ｐ）を中心に回動することによって、縫い針押さえ部材２６が、縫い針Ｎを下方に移動した際に、縫い針Ｎの平坦部Ｎ１との距離が接近して、縫い針Ｎを縫い針取付け部１２の縫い針取付け溝１４に固定できる。
【０１１０】
従って、縫い針Ｎの上下動によって、縫い針押さえ部材２６が、回動中心（軸部材２４からなる偏芯軸Ｐ）を中心に回動して、縫い針Ｎを縫い針取付け部１２の縫い針取付け溝１４に脱着自在に固定できる。
（実施例２）
【０１１１】
図１５は、本発明の別の実施例の縫製装置１の縫い針取付け機構１０を示す図４と同様な部分拡大図である。
【０１１２】
この実施例の縫い針取付け機構１０は、実施例１に示した縫製装置１の縫い針取付け機構１０と基本的には同様な構成であり、同一の構成部材には、同一の参照番号を付して、その詳細な説明を省略する。
【０１１３】
図１５に示したように、この実施例の縫い針取付け機構１０は、縫い針押さえ部材２６の回動中心が、縫い針押さえ部材２６を構成するてこ部材４０の支点軸４２となっている。
【０１１４】
すなわち、てこ部材４０は、操作レバー部４４と、作用点を構成する縫い針押さえ部４６とから構成されている。
【０１１５】
このように構成することによって、縫い針押さえ部材２６の回動中心が、縫い針押さえ部材２６を構成するてこ部材４０の支点軸４２であるので、縫い針Ｎの上下動によって、縫い針押さえ部材２６が、てこ部材４０の支点軸４２を中心に回動して、縫い針Ｎを縫い針取付け部１２の縫い針取付け溝１４に脱着自在に固定できる。
【０１１６】
従って、従来のように、ネジによる締め付けによって、縫い針の交換を行う必要がなく、縫い針Ｎの交換の際に、ネジを緩める煩雑で時間のかかる作業が不要で、縫い針Ｎの交換が、正確で容易に行える。
（実施例３）
【０１１７】
図１６は、本発明の別の実施例の縫製装置１の縫い針取付け機構１０を示す図４と同様な部分拡大図である。
【０１１８】
この実施例の縫い針取付け機構１０は、実施例２に示した縫製装置１の縫い針取付け機構１０と基本的には同様な構成であり、同一の構成部材には、同一の参照番号を付して、その詳細な説明を省略する。
【０１１９】
図１６に示したように、この実施例の縫い針取付け機構１０は、縫い針押さえ部材２６の回動中心が、縫い針押さえ部材２６を構成するてこ部材４０の支点軸４２となっている。
【０１２０】
すなわち、てこ部材４０は、操作レバー部４４と、作用点を構成する縫い針押さえ部４６とから構成されている。
【０１２１】
また、図１６に示したように、てこ部材４０の作用点である縫い針押さえ部４６に、ピボット軸４８で回動するように連結された縫い針Ｎの平坦部Ｎ１を押圧する押圧板部材５０を備えている。
【０１２２】
このように構成することによって、縫い針押さえ部材２６の回動中心が、縫い針押さえ部材２６を構成するてこ部材４０の支点軸４２であり、しかも、てこ部材４０の作用点である縫い針押さえ部４６に、縫い針Ｎの平坦部Ｎ１を押圧する押圧板部材５０を備える。
【０１２３】
その結果、縫い針Ｎの上下動によって、縫い針押さえ部材２６が、てこ部材４０の作用点である縫い針押さえ部４６の押圧板部材５０によって、てこ部材４０の支点軸４２を中心に回動するとともに、てこ部材４０の作用点である縫い針押さえ部４６の押圧板部材５０により、縫い針Ｎの平坦部Ｎ１が押圧されることになり、縫い針Ｎを縫い針取付け部１２の縫い針取付け溝１４に脱着自在に固定できる。
【０１２４】
従って、従来のように、ネジによる締め付けによって、縫い針Ｎの交換を行う必要がなく、縫い針Ｎの交換の際に、ネジを緩める煩雑で時間のかかる作業が不要で、縫い針の交換が、正確で容易に行える。
（実施例４）
【０１２５】
図１７は、本発明の別の実施例の縫製装置１の縫い針取付け機構１０を示す図４と同様な部分拡大図である。
【０１２６】
この実施例の縫い針取付け機構１０は、実施例１に示した縫製装置１の縫い針取付け機構１０と基本的には同様な構成であり、同一の構成部材には、同一の参照番号を付して、その詳細な説明を省略する。
【０１２７】
図１７に示したように、この実施例の縫い針取付け機構１０は、縫い針押さえ部材２６が、縫い針取付け部１２の縫い針取付け溝１４の方向に、下方に漸次接近するテーパー傾斜面５２を備えている。
【０１２８】
また、縫い針押さえ部材２６のテーパー傾斜面５２と、縫い針取付け部１２の縫い針取付け溝１４との間に、くさび部材５４が配置されている。
【０１２９】
そして、縫い針押さえ部材２６が、縫い針Ｎを上方に移動した際に、くさび部材５４と縫い針Ｎの平坦部Ｎ１との距離が離間して、縫い針Ｎを縫い針取付け部１２の縫い針取付け溝１４に装着することができるように構成されている。
【０１３０】
また、縫い針押さえ部材２６が、縫い針Ｎを下方に移動した際に、くさび部材５４と縫い針Ｎの平坦部Ｎ１との距離が接近して、縫い針Ｎを縫い針取付け部１２の縫い針取付け溝１４に固定できるように構成されている。
【０１３１】
このように構成することによって、例えば、くさび部材５４の両端部（図１７の紙面の奥側と手前側）に配置した操作突設部６０を、フレームの長孔５６に配置して、この操作突設部を、例えば、指などで操作することによって、くさび部材５４を上下方向に移動できる。
【０１３２】
これにより、縫い針押さえ部材２６が、縫い針Ｎを上方に移動した際に、くさび部材５４と縫い針Ｎの平坦部Ｎ１との距離が離間して、縫い針Ｎを縫い針取付け部１２の縫い針取付け溝１４に装着することができる。
【０１３３】
また、縫い針押さえ部材２６が、縫い針Ｎを下方に移動した際に、くさび部材５４と縫い針Ｎの平坦部Ｎ１との距離が接近して、すなわち、くさび部材５４のくさび面５４ａが、テーパー傾斜面５２に沿って下方に移動されて、くさび部材５４の当接面５４ｂが、縫い針Ｎの平坦部Ｎ１と当接することになり、縫い針Ｎを縫い針取付け部１２の縫い針取付け溝１４に固定できる。
【０１３４】
従って、このように縫い針Ｎの上下動によって、くさび部材５４が、縫い針押さえ部材２６のテーパー傾斜面に沿って上下に移動し、くさび部材５４と縫い針Ｎの平坦部Ｎ１との距離の接近、離反によって、縫い針Ｎを縫い針取付け部１２の縫い針取付け溝１４に脱着自在に固定できる。
【０１３５】
これにより、従来のように、ネジによる締め付けによって、縫い針Ｎの交換を行う必要がなく、縫い針Ｎの交換の際に、ネジを緩める煩雑で時間のかかる作業が不要で、縫い針Ｎの交換が、正確で容易に行える。
（実施例５）
【０１３６】
図１８は、本発明の別の実施例の縫製装置１の縫い針取付け機構１０を示す図４と同様な部分拡大図である。
【０１３７】
この実施例の縫い針取付け機構１０は、実施例４に示した縫製装置１の縫い針取付け機構１０と基本的には同様な構成であり、同一の構成部材には、同一の参照番号を付して、その詳細な説明を省略する。
【０１３８】
図１８に示したように、この実施例の縫い針取付け機構１０は、くさび部材５４が断面円形のくさび部材５４から構成されている点が、実施例４に示した縫製装置１の縫い針取付け機構１０と相違する。
【０１３９】
その作用については、実施例４に示した縫製装置１の縫い針取付け機構１０と基本的には同様であるので、その詳細については、説明を省略する。
【０１４０】
以上、本発明の好ましい実施の態様を説明してきたが、本発明はこれに限定されることはなく、例えば、上記実施例では、特に限定していないが、縫い針取付け機構１０において、１本のい針Ｎを縫い針取付け部１２の縫い針取付け溝１４に脱着自在に固定する場合について説明したが、２本以上の多数本の縫い針Ｎが一定間隔で並設され、これらの多数本の縫い針を同時に作動して、複数の縫製線に沿って同時に縫製する、いわゆる「多針ミシン」において、縫い針Ｎの交換を行うように構成することも可能である。
【０１４１】
この場合、図示しないが、多数本の縫い針Ｎを一定間隔で配置できるマガジンラックに装着しておき、これにより、一度に多数本の縫い針Ｎを交換できるようにすることも可能である。
【０１４２】
また、上記実施例では、縫い針取付け機構の下方に設けられた、縫い針Ｎをガイドするための針ガイド板４の針ガイド孔６に縫い針Ｎの先端を挿入する場合について説明したが、このような針ガイド板４の針ガイド孔６を設けない場合にも適用できるなど本発明の目的を逸脱しない範囲で種々の変更が可能である。
【０１４３】
なお、この実施例では、縫い針Ｎにの平坦部Ｎ１を設けたが、このような平坦部Ｎ１を設けないこともちろん可能である。この場合には、縫い針Ｎを正しい向きに回転させることはできないが、針の固定は十分可能であり、例えば、縫い針Ｎ側に正しい向きを示す、例えば、マークなどを設けておくことによって、縫い針Ｎを正しい向きに位置合わせすることも可能であるなど本発明の目的を逸脱しない範囲で種々の変更が可能である。
【産業上の利用可能性】
【０１４４】
本発明は、縫製装置の縫い針取付け機構、および、縫い針取付け機構を備えた縫製装置に適用することができる。
【０１４５】
より詳細には、本発明は、例えば、畳床、ロックウールなどを、単環縫い、本縫いなどによって、縫製する際に使用する縫製装置（ミシン）において、縫い針の交換が、正確で容易に行える縫製装置の縫い針取付け機構、および、縫い針取付け機構を備えた縫製装置に適用することができる。
【０１４６】
また、より詳細には、本発明は、２本以上の多数本の縫い針Ｎが一定間隔で並設され、これらの多数本の縫い針を同時に作動して、複数の縫製線に沿って同時に縫製する、いわゆる「多針ミシン」において、縫い針の交換が、正確で容易に行える縫製装置の縫い針取付け機構、および、縫い針取付け機構を備えた縫製装置に適用することができる。
【符号の説明】
【０１４７】
１    縫製装置
２    基台フレーム
４    針ガイド板
６    針ガイド孔
１０    縫い針取付け機構
１２    縫い針取付け部
１２ａ    表面
１４    縫い針取付け溝
１６    ストッパー部
１８    フランジ
２０    ネジ穴
２２    ボルト
２４    軸部材
２６    縫い針押さえ部材
２８    押さえ部材本体
２８ａ    偏芯テーパー面
３０    操作レバー
３０ａ    内側
３２    バネ係止突設部
３４    バネ係止突設部
３６    バネ部材
４０    てこ部材
４２    支点軸
４４    操作レバー部
４６    縫い針押さえ部
４８    ピボット軸
５０    押圧板部材
５２    テーパー傾斜面
５４    くさび部材
５４ａ    くさび面
５４ｂ    当接面
５６    長孔
６０    操作突設部
Ｎ    縫い針
Ｎ１    平坦部
Ｏ    中心
Ｐ    偏芯軸
【図１】
2018143397.tif 000003
【図２】
2018143397.tif 000004
【図３】
2018143397.tif 000005
【図４】
2018143397.tif 000006
【図５】
2018143397.tif 000007
【図６】
2018143397.tif 000008
【図７】
2018143397.tif 000009
【図８】
2018143397.tif 000010
【図９】
2018143397.tif 000011
【図１０】
2018143397.tif 000012
【図１１】
2018143397.tif 000013
【図１２】
2018143397.tif 000014
【図１３】
2018143397.tif 000015
【図１４】
2018143397.tif 000016
【図１５】
2018143397.tif 000017
【図１６】
2018143397.tif 000018
【図１７】
2018143397.tif 000019
【図１８】
2018143397.tif 000020
【図１９】
2018143397.tif 000021